(57)【要約】【課題】酸素との接触による酸敗の恐れがある製品が収容される瓶を再密封するときに瓶内部に流れ込んだ酸素を安全的且つ持続的に除去する上で使用する瓶の栓を提供すること。【解決手段】本発明に係る瓶の栓は、瓶１０の開口の内側に挿入して開口を再密封できる形態に構成した栓本体１１０を、酸素吸収剤１２を収容可能な収容室に形成して、瓶１０の内部に残存する酸素を安全的且つ持続的に吸収して除去できるようにしたものである。【選択図】図１
2011240991.tif 000002
【特許請求の範囲】
【請求項１】
瓶の開口内部の一部の領域にのみ挿入される形態であり、前記瓶の開口を開閉可能に再密封して中身の外部漏れを防止し、内部には長手方向に沿って所定の深さに形成されていずれか一端にのみ開口されるように形成した所定の広さの取付溝部を有する栓本体と、
前記取付溝部の直径にほとんど等しいか小さく形成されて前記栓本体の取付溝部に脱着されるように挿入され、内部は酸素吸収剤を収容するために四方が壁により閉鎖される所定の広さの酸素吸収剤用収容部が設けられる中空状の収容容器と、
前記収容容器のいずれかの壁部に少なくとも１以上配設されて前記酸素吸収剤が瓶の内部に残存する酸素を吸収できるように前記瓶の内部と連絡する通路機能をする通気孔と、
を備える瓶の栓。
【請求項２】
前記酸素吸収剤収容容器の外壁面と前記取付溝部の内壁面との相互対応部位には抜け止め用固定突部がさらに配設されることを特徴とする請求項１に記載の瓶の栓。
【請求項３】
瓶の開口内部の一部の領域にのみ挿入される形態をなして前記瓶の開口を開閉可能に再密封することにより中身が外部に漏れることを防止し、内部には長手方向に沿って所定の深さをなすように形成されていずれか端部にのみ開口されて酸素吸収剤を収容できるようにした所定の広さの収容部と、前記収容部の開口を閉鎖するように前記開口に分離可能に結合した内部蓋体と、からなる酸素吸収剤収容容器と、
前記収容部の壁部に少なくとも１以上配設されて前記酸素吸収剤が瓶の内部に残存する酸素を吸収できるように前記瓶の内部と連絡する通路機能をする通気孔と、
を備える瓶の栓。
【発明の詳細な説明】
【技術分野】
【０００１】
本発明は酸素との接触時に酸敗し易い恐れがあるか、あるいは、風味が低下する恐れがあるワインなどの中身が収容される瓶の開口を再密封するときに使用する瓶の栓に関する。特に、使用過程で瓶の内部に流れ込んだ酸素を安全的に、しかも、安定性よく吸収する酸素吸収剤収容室を有する瓶の栓に関する。
【背景技術】
【０００２】
酸素との接触による酸敗の恐れがあるか、あるいは、品質を阻害する恐れがある製品はガラス製の瓶に入れて酸素との接触が遮断されるように密封している。例えば、ワイン類の場合、大気中の酸素との接触時に酸化し始めるが、酸化し過ぎたワインは香りや風味などにおいて顕著に品質が低下してしまう。
【０００３】
このため、これを解消するために、従来、ワインが入れられた瓶の場合、そのワイン瓶を開封してから再密封するときには、手動及び自動のポンプを用いて開封状態でワイン瓶の内部に流れ込んだ酸素を除去していた。
【０００４】
しかしながら、このような作業にはポンプの購入費用による負担があることはもとより、特に、一般人が使用するには不便さと難点がある。
【０００５】
これを解消するために、例えば、下記の特許文献１（公開日：２００９年９月２４日）（以下、「先行技術」と称する。）には、「ワイン瓶栓の組立体」が開示されている。この先出願は、ワイン瓶の再密封時に内部の酸素をより短い時間内に効果的に除去できるようにしたものであり、そのワイン瓶栓の組立体は、ワイン瓶の開口を密封するために前記ワイン瓶の開口の内側に挿入される挿入部を有する栓本体と、前記ワイン瓶の内部の酸素を吸収する酸素吸収部材と、前記酸素吸収部材を前記ワイン瓶の内部において流動可能な状態で固定する固定装置と、を備えている。
【０００６】
しかしながら、この先行技術もまた、酸素吸収部材がワイン瓶の内部に自由に流動する状態にあるため、酸素吸収部材がワインと接触するといった問題が発生している。すなわち、前記先行技術に開示されたワイン瓶栓の組立体は、酸素吸収部材がワインに浮遊できるように構成しているが、酸素吸収部材がワインに接触されること自体でワインを変質させる恐れがあるという重大な問題点がある。また、酸素吸収剤がワインなどの液状の中身に浸される場合、酸素吸収剤が液状物に閉塞されて吸収機能を正常に発揮できなくなる恐れがあり、しかも、酸素吸収剤がワインなどの中身に接触するという事実だけでも飲用者には大きな不快感を与える恐れがある。
【先行技術文献】
【特許文献】
【０００７】
【特許文献１】大韓民国特許公開第１０−２００９−０１００５５４号公報
【発明の開示】
【発明が解決しようとする課題】
【０００８】
本発明者は、前記諸欠点を解消するために鋭意努力した結果、使用過程で瓶の内部に流れ込んだ酸素を安全的に、且つ、安定性よく吸収する酸素吸収剤収容室を有する瓶の栓を開発するに至った。そこで、本発明の目的は、酸素吸収部材と瓶の中身との接触を回避しながらも、酸素を吸収する安全性と酸素吸収剤に酸素吸収機能を持続的に発揮せしめる安定性を併せ持たせた瓶の栓を提供するところにある。
【課題を解決するための手段】
【０００９】
上記の目的を達成するために、本発明の請求項１記載の瓶の栓は、瓶の開口内部の一部の領域にのみ挿入される形態であり、前記瓶の開口を開閉可能に再密封して中身の外部漏れを防止し、内部には長手方向に沿って所定の深さに形成されていずれか一端にのみ開口されるように形成した所定の広さの取付溝部を有する栓本体と、前記取付溝部の直径にほとんど等しいか小さく形成されて前記栓本体の取付溝部に脱着されるように挿入され、内部は酸素吸収剤を収容するために四方が壁により閉鎖される所定の広さの酸素吸収剤用収容部が設けられる中空状の収容容器と、前記収容容器のいずれかの壁部に少なくとも１以上配設されて前記酸素吸収剤が瓶の内部に残存する酸素を吸収できるように前記瓶の内部と連絡する通路機能をする通気孔と、を備えることを特徴とする。
【００１０】
また、上記の目的を達成するために、本発明の請求項２記載の瓶の栓は、前記酸素吸収剤収容容器の外壁面と前記取付溝部の内壁面との相互対応部位には抜け止め用固定突部がさらに配設されることを特徴とする。
【００１１】
さらに、上記の目的を達成するために、本発明の請求項３記載の瓶の栓は、瓶の開口内部の一部の領域にのみ挿入される形態をなして前記瓶の開口を開閉可能に再密封することにより中身が外部に漏れることを防止し、内部には長手方向に沿って所定の深さをなすように形成されていずれか端部にのみ開口されて酸素吸収剤を収容できるようにした所定の広さの収容部と、前記収容部の開口を閉鎖するように前記開口に分離可能に結合した内部蓋体と、からなる酸素吸収剤収容容器と、前記収容部の壁部に少なくとも１以上配設されて前記酸素吸収剤が瓶の内部に残存する酸素を吸収できるように前記瓶の内部と連絡する通路機能をする通気孔と、を備えることを特徴とする。
【発明の効果】
【００１２】
本発明によれば、酸素吸収剤を瓶の栓の内部に内蔵した構成により、瓶の再密封に使用するに際して中身との直接的な接触をなくしながら酸素を吸収する機能を発揮せしめて、中身そのものの変質をなくすとともに、ユーザーには不快感を感じることなく安全的に飲用できるようにするといった効果を与える。なお、酸素吸収能をより持続的に維持して中身の風味と香りを長期間維持する商品性を持たせるといった効果がある。
【図面の簡単な説明】
【００１３】
【図１】本発明の第１実施形態による瓶の栓を示す図である。
【図２】本発明の第２実施形態による瓶の栓を示す図である。
【図３】本発明の第３実施形態による瓶の栓を示す図である。
【発明を実施するための最良の形態】
【００１４】
以下、添付図面に基づき、本発明のより好適な実施形態を詳述する。
【００１５】
図１は、本発明の第１実施形態による瓶の栓を示す図である。
【００１６】
図１に示すように、本発明の第１実施形態による瓶の栓は、瓶１０の再密封に使用するものであり、人体に無害な木材若しくは樹脂により瓶１０の開口の内径に等しいか小さく形成されて、瓶１０の開口から一部の領域まで挿入できる形態に形成された栓本体１１０を備えている。
【００１７】
栓本体１１０の内部には、図１に示すように、栓本体１１０の下端側が開口されるようにした取付溝部１１２を凹設して、酸素吸収剤１２を収容する収容部１１４ａが形成された酸素吸収剤収容容器１１４を前記取付溝部１１２の内部に挿設できるようにしている。前記酸素吸収剤収容容器１１４を前記栓本体１１０の取付溝部１１２に挿設し易くするために、前記酸素吸収剤収容容器１１４もまた人体に無害な柔軟性を有する材質から製作される。これにより、前記酸素吸収剤収容容器１１４は、前記取付溝部１１２に締まり嵌めしたり取付溝部１１２から引き抜いたりすることを容易に行うことができる。
【００１８】
前記酸素吸収剤収容容器１１４の軸方向に沿って形成された収容部１１４ａは、四方（垂直方向及び水平方向）が壁により閉塞された中空部をなすように形成されるが、四方が閉塞された中空部をなす収容部１１４ａに酸素吸収剤１２を設置することは、前記収容部１１４ａが完全に閉鎖される前の状態で既に準備した酸素吸収剤１２を入れ、その後、一般的な熱融着法により収容部１１４ａの開放された部位を閉塞するような方法により形成可能である。しかし、この方法は周知の技術であるため、その具体的な説明は省略する。
【００１９】
前記取付溝部１１２に挿設される酸素吸収剤収容容器１１４の壁部には少なくとも１以上の通気孔を穿設することが好ましい。図示の例では、通気孔１１６ａ、１１６ｂ、１１６ｃの３つを穿設する態様を示しているがこれに限定されない。これらの通気孔１１６ａ、１１６ｂ、１１６ｃは、収容部１１４ａに収容された酸素吸収剤１２が瓶１０の内部に残存する酸素と接触できるように相互連絡する通路機能を有する。このような通路機能により酸素吸収剤１２は瓶１０の内部に残存する酸素を吸収して中身の酸化防止の一助となる。前記酸素吸収剤収容容器１１４に穿設される通気孔１１６ａ、１１６ｂ、１１６ｃは、前記収容部１１４ａに瓶内部の酸素が容易に通過できるようにするために、前記酸素吸収剤収容容器１１４の下部には２本の通気孔１１６ａ、１１６ｂを穿設し、上部には１本の通気孔１１６ｃを穿設することが好ましい。しかしながら、前記酸素吸収剤収容容器１１４の上下部に穿設される通気孔の本数は、図示の本数に限定するものではなく、必要に応じて、それ以上の本数の通気孔を穿設してもよい。通気孔１１６ａ、１１６ｂ、１１６ｃは、瓶内部に残存する気体の通過だけが許されるように概ね０．１ｍｍ以下の孔径に穿設されるため、中身が通気孔１１６ａ、１１６ｂ、１１６ｃを介して収容部１１４ａの内部に流れ込むことはない。
【００２０】
前記酸素吸収剤１２は、空気が透過可能な防水材質から形成された包装紙の内部に酸素吸収剤が包装された通常の酸素吸収剤である。
【００２１】
図２は、本発明の第２実施形態による瓶の栓を示す図である。
【００２２】
図２に示す本発明の第２実施形態による瓶の栓は、図１に示す本発明の第１実施形態による瓶の栓とは、酸素吸収剤収容容器１１４が取付溝部１１２から引き抜かれることを防ぐために強固に固定することを目的として、酸素吸収剤収容容器１１４と取付溝部１１２に固定突部１１８をさらに配設した点で相違点がある。すなわち、酸素吸収剤収容容器１１４が取付溝部１１２から引き抜かれることをなくすために、前記酸素吸収剤収容容器１１４の外周面と前記取付溝部１１２の内周面との相互対応部位には係止機能を有する固定突部１１８を形成している。その他の構成は前記第１実施形態と同様であるため、別途の説明は省略する。
【００２３】
図３は、本発明の第３実施形態による瓶の栓を示す図である。
【００２４】
図３に示すように、本発明の第３実施形態による瓶の栓もまた、第１実施形態の瓶の栓と同様に形成されるが、瓶の栓に酸素吸収剤を直接的に収容できるように構成した点で第１実施形態による瓶の栓とは相違点がある。
【００２５】
すなわち、この実施形態は、瓶の栓に酸素吸収剤１２を直接的に収容できるようにするために、瓶の栓の内部には上端だけが外部に開口された所定の広さの収容部２１４ａを設け、収容部２１４ａの開口は取り外し可能な内蓋体２１３により閉塞できるように構成して、瓶の栓が酸素吸収剤収容容器２１４をなしている。このような構成により、酸素吸収剤収容容器２１４からの酸素吸収剤１２の取り外しや収容容器２１４の内部掃除が容易になる。この実施形態においては、内蓋体２１３を、その内蓋体２１３の外周面と収容部２１４ａの上部内周面に螺旋部を形成して取り外し自在に締め付けた構成として開示しているが、内蓋体２１３の結合方式としては、図３に示す螺合式ではなく、嵌合式を採用してもよいということは、図３から容易に理解できるであろう。
【００２６】
前記内蓋体２１３が設けられる酸素吸収剤収容容器２１４もまた、前記第１実施形態と同様に、１若しくは複数の通気孔２１６ａ、２１６ｂが穿設されて、通気孔２１６ａ、２１６ｂに瓶の内部と連絡する通路機能を行わせるが、これらの通気孔２１６ａ、２１６ｂの構成や作用は前記第１及び第２実施形態と同様であるため、別途の説明は省略する。
【００２７】
以上の実施形態においては、ワイン瓶の再密封時に使用することを例にとって説明したが、例えば、食用油、食用油脂、発酵油、発酵酒などが収容される瓶の再密封にも使用可能である。なお、その他の瓶の栓として使用することにより、品質を維持し、当該製品の賞味期間を延ばす他、新鮮度を維持することができる。
【符号の説明】
【００２８】
１０：瓶
１２：酸素吸収剤
１１０：栓本体
１１２：取付溝部
１１４：酸素吸収剤収容容器
１１４ａ：収容部
１１６ａ、１１６ｂ、１１６ｃ、２１６ａ、２１６ｂ：通気孔
１１８：固定突部
【図１】
2011240991.tif 000003
【図２】
2011240991.tif 000004
【図３】
2011240991.tif 000005